(57)【要約】【課題】簡易な装置構成で、弱点ピンの折損を確実に検出することができる弱点ピン折損検出装置を提供する。【解決手段】弱点ピン折損検出装置は、ガイドベーン機構１に組み込まれた複数の弱点ピン１０のそれぞれにに装着されて該弱点ピン１０の折損により断線するバイパス線路１１３およびパイパス線路１１３と並列に設けられた発光ダイオード１１４とを有するセンサ部１１と、センサ部１１が複数直列に接続された環状の定電流回路１２と、定電流回路１２に一定電流を供給する定電流電源装置１３と、定電流回路１２の両端の電圧値を検出する電圧検出部１４と、電圧検出部１４により検出された電圧値の電位差から弱点ピン１０の折損を検出する折損検出部１５とを備える。【選択図】図２
2010106685.tif 000002
【特許請求の範囲】
【請求項１】
水圧管から水車に供給される水流を調整するガイドベーン機構に組み込まれた複数の弱点ピンのいずれかの折損を検出する装置であって、
前記弱点ピンに装着されて該弱点ピンの折損により断線するバイパス線路と、該パイパス線路と並列に設けられた発光ダイオードとを有するセンサ部と、
前記センサ部が、複数直列に接続された環状の定電流回路と、
前記定電流回路に一定電流を供給する電源装置と、
前記定電流回路の両端の電圧値を検出する電圧検出部と、
前記電圧検出部により検出された電圧値の電位差から前記弱点ピンの折損を検出する折損検出部と
を備えることを特徴とする弱点ピン折損検出装置。
【請求項２】
請求項１記載の弱点ピン折損検出装置において、
前記定電流回路を流れる電流値を検出する電流検出部と、
前記電流検出部により検出された電流値の変化から前記定電流回路の断線を検出する断線検出部と
を備えることを特徴とする弱点ピン折損検出装置。
【請求項３】
請求項２記載の弱点ピン折損検出装置において、
前記電圧検出部および前記電流検出部により検出された電圧値および電流値に基づいて、警報を出力する警報手段を備え、
前記警報手段は、前記電圧検出手段により検出された電圧値に電位差が生じ且つ前記電流検出部により検出された電流値が０でない場合には、該弱点ピンの折損警報を出力し、前記電圧検出手段により検出された電圧値に電位差が生じ且つ前記電流検出部により検出された電流値が０の場合には、該定電流回路の断線警報を出力し、前記電圧検出手段により検出された電圧値に電位差がなく且つ前記電流検出部により検出された電流値が０の場合には、装置の故障警報を出力することを特徴とする弱点ピン折損検出装置。
【請求項４】
請求項１乃至３のうちいずれか１項記載の弱点ピン折損検出装置において、
前記センサ部は、前記発光ダイオードが前記バイパス線路に対して順方向を異にして２つ並列に設けられてなることを特徴とする弱点ピン折損検出装置。
【発明の詳細な説明】
【技術分野】
【０００１】
本発明は、水圧管から水車に供給される水流を調整するガイドベーン機構に組み込まれた複数の弱点ピンのいずれかの折損を検出する弱点ピン折損検出装置に関する。
【背景技術】
【０００２】
水力発電所の水車への水圧管からの供給水流を調整するガイドベーン機構には、流木等の異物がガイドベーンに挟み込むことによって局部的な過負荷が掛かり、該ガイドベーン機構が破損することを防止する弱点部が設けられている。
【０００３】
かかる弱点部としては、一般的に、ガイドベーンを開閉させるリンク機構の一部に弱点ピンを設け、前記過負荷により該弱点ピンを折損させることにより、ガイドベーン機構自体の破損を防止する。
【０００４】
ここで、弱点ピンが折損すると、これに連結されたガイドベーンは制御不能なフリーな状態となるため、他のガイドベーンの負荷が増大し得る。そのため、早急に、弱点ピンが折損したこと、および複数の弱点ピンのうちでどの弱点ピンが折損したかをユーザに報知し、異物の除去と弱点ピンの交換を行わしめる必要がある。
【０００５】
このような必要性から、従来の弱点ピン折損検出装置として、下記特許文献１に示すように、弱点ピンに内装されるセンサ部がそれぞれ電源装置に並列に接続されると共に、各センサ部に、該弱点ピンの折損によりＯＮするスイッチと、該スイッチに直列に接続されて、該スイッチがＯＮされることにより点灯する発光ダイオードとを備えてなるものが知られている。
【０００６】
かかる従来の弱点ピン折損検出装置によれば、弱点ピンが折損すると、スイッチを介して並列回路に電流が流れて発光ダイオードが点灯する。そのため、外部からどの弱点ピンが折損しているかを目視によって確認可能となる。
【特許文献１】実公平１−８５８１号公報
【発明の開示】
【発明が解決しようとする課題】
【０００７】
しかしながら、弱点ピンやセンサ部と、ユーザが水力発電所の監視を行う制御室との間には隔たりがあるところ、従来の弱点ピン折損検出装置では、弱点ピンの折損の有無を制御室において一括管理するためには、各センサ部への電力供給経路（並列回路）を制御室の配電盤においてそれぞれ独立に監視する必要がある。
【０００８】
さらに、各センサ部への電力供給経路は電源装置に対して並列であるため、各センサ部へ２つのケーブルを敷設しなければならず、ガイドベーンの数だけ２つケーブルを制御室の配電盤から敷設しなければならず、装置構成が複雑である。
【０００９】
加えて、センサ部は、通常ＯＦＦ状態となっており、該センサ部への電力供給経路に断線等が生じた場合には、通常のＯＦＦ状態と区別が付かず、制御室において折損を検出することができないばかりか、折損時に発光ダイオードを点灯させることもできない。
【００１０】
以上の事情に鑑みて、本発明は、簡易な装置構成で、弱点ピンの折損を確実に検出することができる弱点ピン折損検出装置を提供することを目的とする。
【課題を解決するための手段】
【００１１】
上記目的を達成するために、本発明は、水圧管から水車に供給される水流を調整するガイドベーン機構に組み込まれた複数の弱点ピンのいずれかの折損を検出する装置であって、前記弱点ピンに装着されて該弱点ピンの折損により断線するバイパス線路と、該パイパス線路と並列に設けられた発光ダイオードとを有するセンサ部と、前記センサ部が、複数直列に接続された環状の定電流回路と、前記定電流回路に一定電流を供給する電源装置と、前記定電流回路の両端の電圧値を検出する電圧検出部と、前記電圧検出部により検出された電圧値の電位差から前記弱点ピンの折損を検出する折損検出部とを備えることを特徴とする。
【００１２】
本発明の弱点ピン折損検出装置によれば、センサ部が定電流回路に直列に接続されるため、各センサ部を結ぶ環状の定電流回路を組みことで、各センサ部へ１つのケーブルを敷設すれば装置を構成することができる。
【００１３】
また、環状の定電流回路の両端の電圧値から、複数の弱点ピンの折損の有無等を一括管理することができる。すなわち、電源装置から定電流回路に供給される一定電流は、弱点ピンの折損等がない通常状態では各センサ部のパイパス線路を導通するため、該回路における電圧降下はなく、電位差は生じない。一方、いずれかの弱点ピンが折損すると、これに対応したセンサ部のパイパス線路が断線し、該バイパス線路と並列に設けられた発光ダイオードへ電流が流れて、発光ダイオードが点灯する。このとき、発光ダイオードの内部抵抗により、定電流回路における電圧降下が生じる。かかる電圧降下による電位差を検出という簡易な構成で、複数の弱点ピンの折損の有無を一括管理することができる。さらに、環状の定電流回路の両端の電圧値を、例えば、制御室の配電盤で監視することで、弱点ピンの折損の有無等を制御室において一括管理することができる。
【００１４】
そして、制御室において報知を受けたユーザは、ガイドベーンの設置場所へ赴くと、弱点ピンが折損した箇所の発光ダイオードが点灯しているため、複数の弱点ピンのいずれが折損しているかを確実に特定することができる。
【００１５】
このように本発明の弱点ピン折損検出装置によれば、簡易な装置構成で、弱点ピンの折損を確実に検出することができる。
【００１６】
また、本発明の好ましい態様によれば、前記定電流回路を流れる電流値を検出する電流検出部と、前記電流検出部により検出された電流値の変化から前記定電流回路の断線を検出する断線検出部とを備えることを特徴とする。
【００１７】
かかる態様によれば、定電流回路は、複数のセンサ部が直列に接続されているため、該回路のいずれかで断線が起きた場合は、該回路を流れる電流値は０となる。そのため、定電流回路を流れる電流値の変化から定電流回路の断線を検出することができる。
【００１８】
加えて、定電流回路に断線が生じた場合には、該回路の両端に電圧差を生じる。そのため、定電流回路における弱点ピンの折損との区別が困難となるが、該回路の電流値の変化から断線を区別することができ、弱点ピンの折損を確実に検出することができる。
【００１９】
さらに、本発明の好ましい態様によれば、前記電圧検出部および前記電流検出部により検出された電圧値および電流値に基づいて、警報を出力する警報手段を備え、前記警報手段は、前記電圧検出手段により検出された電圧値に電位差が生じ且つ前記電流検出部により検出された電流値が０でない場合には、該弱点ピンの折損警報を出力し、前記電圧検出手段により検出された電圧値に電位差が生じ且つ前記電流検出部により検出された電流値が０の場合には、該定電流回路の断線警報を出力し、前記電圧検出手段により検出された電圧値に電位差がなく且つ前記電流検出部により検出された電流値が０の場合には、装置の故障警報を出力することを特徴とする。
【００２０】
かかる態様によれば、前述のように、弱点ピンの折損時には、定電流回路において電圧降下が生じるが、（断線時のように）該回路を流れる電流値が０となることはない。そのため、電位差を生じ且つ電流値が０でないことを条件として折損警報を出力することで、弱点ピンの折損を断線と区別して外部に報知することができる。また、断線時には、定電流回路を流れる電流値が０となると共に、（弱点ピンの折損時と同様に）定電流回路において電圧降下が生じる。そのため、電位差が生じ且つ電流値が０であることを条件として断線警報を出力することで、断線のみを外部に報知することができる。さらに、電圧降下なくして、電流値のみが０となることは一般に生じ得ない。そのため、かかる場合には当該装置の故障が生じたものとしてこれを外部に報知することができる。
【００２１】
さらに、本発明の好ましい態様において、前記センサ部は、前記発光ダイオードが前記バイパス線路に対して順方向を異にして２つ並列に設けられてなることを特徴とする。
【００２２】
かかる好ましい態様によれば、発光ダイオードが順方向を異にして並列に設けられているため、バイパス線路が弱点ピンの折損により断線した場合に、定電流回路の極性（電流の流れ）に拘らず、いずれかの発光ダイオードに電流を流して点灯させることができる。
【００２３】
さらに、電源装置を交流電源にし、定電流回路を交流定電流回路とした場合にも、発光ダイオードを折損時に点灯させることが可能となる。
【００２４】
これにより、センサ部の定電流回路への接続方向、定電流回路が直流回路か交流回路かを意識することなく、センサ部を定電流回路に接続することができ、センサ部の設置・交換を容易ならしめることができる。さらに、いずれの場合にも折損時にダイオードを確実に点灯させることができる。
【発明を実施するための最良の形態】
【００２５】
（第１実施形態）
本発明の一実施形態としての弱点ピン折損検出装置について、図１〜図３を参照して説明する。
【００２６】
まず、図１を参照して、弱点ピン折損検出装置が組み込まれるガイドベーン機構１を備える水力発電所の概要について説明する。
【００２７】
水力発電所は、高所に設けられて水を貯留する貯留水槽２と、一端が貯留水槽２の内部に連通し、高所から低所に向かって配置された水圧管３と、水圧管３の他端が接線方向から接続された中空ドーナツ状のケーシング４と、ケーシング４の内周面に隣接し、同軸上に設けられた水車５を備える。
【００２８】
ガイドベーン機構１は、水車５とケーシング４との間に設けられて水車５に供給する水流を調整するガイドベーン６と、ガイドベーン６に接続されたリンク機構７と、リンク機構７に接続された円形のガイドリング８と、ガイドリング８を回転変位させるサーボモータ９とを備える。
【００２９】
また、リンク機構７のアームを支持する支持ピンの一部が、円筒状の弱点ピン１０となっており、弱点ピン１０の内部に該弱点ピンの折損を検出するセンサ部１１（図２参照）が装着されている。
【００３０】
かかる水力発電所では、貯留水槽２から水圧管３の落差により加速された水が、ケーシング４内にこれを旋回するように導入され、ガイドベーン６により水流が調整されて水車５に供給され、水車５が回転駆動する。このとき、水流を調整するガイドベーン６は、これにリンク機構７を介して連結されたガイドリング８をサーボモータ９で回転させることにより、その回転量に応じて開度が調整される。
【００３１】
水車５の回転軸は、同軸上に図示しない発電機の主軸（ロータ）に連結されており、水車５によって発電機が回転し、系統連系した後は水車５に供給される水量によって発電量が制御される。また、水車５に供給された水は、中心部に流れ込んだ後、図示しない排水管により排水される。
【００３２】
なお、水力発電所は、上記構成のほかに、ケーシング４に接続されたバイパス管Ｘと、バイパス管Ｘに接続された排水管Ｙと、バイパス管Ｘと排水管Ｙとの間を開閉させる制圧機Ｚとを備え、ガイドベーン６の閉動作に伴って水圧管３内に生じる水圧の上昇を、制圧機Ｚにより抑止する。
【００３３】
以上が、水力発電所の概要である。
【００３４】
次に、図２を参照して、直流定電流電源を用いた弱点ピン折損検出装置の回路構成について説明する。
【００３５】
弱点ピン折損検出装置は、各弱点ピン１０に装着されるセンサ部１１と、複数のセンサ部１１が直列に接続された環状の定電流回路１２と、定電流回路１２に直流定電流を供給する定電流電源装置１３と、定電流回路１２の両端の電圧値を検出する電圧計からなる電圧検出部１４と、電圧検出部１４により検出された電圧値の電位差によりＯＮする電圧スイッチ１５と、定電流回路１２を流れる電流値を検出する電流計からなる電流検出部１６と、電流検出部１６により検出された電流値が０となった場合にＯＮする電流スイッチ１７と、コントローラ１９とを備える。
【００３６】
ここで、定電流電源装置１３、電圧検出部１４、電圧スイッチ１５、電流検出部１６および電流スイッチ１７は、ケーシングである検出箱１８内に収納されている。検出箱１８は、制御室の配電盤や、配電盤を介して管理者の詰所である制御所に接続されおり、電圧スイッチ１５および電流スイッチ１７のＯＮ／ＯＦＦに基づくコントローラ１９からの出力（報知信号の出力）が配電盤や制御所に出力されるようになっている。
【００３７】
なお、電圧スイッチ１５が本発明の折損検出部に相当し、電流スイッチ１７が本発明の断線検出部に相当し、コントローラ１９が本発明の警報手段に相当する。
【００３８】
センサ部１１は、図３に示すように、定電流回路１２に接続されるコネクタ１１１ａ，１１１ｂを両端に有するＴ形コネクタ１１１と、コネクタ１１１を介して定電流回路１２に接続された電極１１２ａ，１１２ｂと、電極１１２ａ，１１２ｂの間を導通させるバイパス線路１１３と、バイパス線路１１３と並列に電極１１２ａ，１１２ｂの間に設けられた発光ダイオード（以下、ＬＥＤ）１１４とを備える。
【００３９】
パイパス線路１１３は、弱点ピン１０に内挿入されるアクリル樹脂からなる筒体１１５内を往復するように配置されており、配置後に筒体１１５に充填されたエポキシ樹脂からなる充填剤１１６によりＬＥＤ１１４と共に固定されてなる。なお、筒体１１５および充填剤１１６は、いずれも透明樹脂が用いられており、ＬＥＤ１１４が発光するとその光が、筒体１１５および充填剤１１６を介して外部に散乱するようになっている。
【００４０】
また、筒体１１５の外側面の一部には、弱点ピン１０の内面に形成された雌ネジ（図示省略）に螺号する雄ネジ溝１１７が形成されており、これによりセンサ部１１が弱点ピンに螺着される。
【００４１】
電圧スイッチ１５は、定電流回路１２の両端の電位差（ΔＶ）が予め設定された所定の閾値を超える場合にスイッチをＯＮする制御回路であって、該スイッチの両端がコントローラ１９に接続されている。なお、電圧スイッチ１５は、電圧検出部１４としてデジタルボルテージセンサを用いれば、該ボルテージセンサの出力設定値を前記電位差（ΔＶ）の閾値に設定することで、省略することができる。
【００４２】
電流スイッチ１７は、定電流回路１２を流れる電流値が０となった場合にスイッチをＯＮする制御回路であって、該スイッチの両端がコントローラ１９に接続されている。なお、電流スイッチ１７は、電流検出部１６としてデジタルカレントセンサを用いれば、該カレントセンサの出力設定値を０に設定することで、省略することができる。
【００４３】
コントローラ１９は、異常検出回路１９ａと複数のランプ２０ａ〜２０ｃとを備える。異常検出回路１９ａは、電圧スイッチ１５および電流スイッチ１７のＯＮ／ＯＦＦに基づいて、後述する弱点ピンの折損検出、断線検出、装置故障を検出する。そして、検出結果に応じてランプ２０ａ〜２０ｃの点灯が以下のように制御される。
【００４４】
すなわち、通常の電圧スイッチ１５および電流スイッチ１７がＯＦＦの状態から、電圧スイッチ１５のみがＯＮとなった場合には（電流スイッチ１７はＯＦＦ状態）、折損ランプ２０ａを点灯する。
【００４５】
また、電圧スイッチ１５および電流スイッチ１７のいずれもＯＮとなった場合には、断線ランプ２０ｂを点灯する。
【００４６】
一方、電流スイッチ１７のみがＯＮとなった場合には（電圧スイッチ１５はＯＦＦ状態）、故障ランプ２０ｃを点灯する。
【００４７】
以上が弱点ピン折損検出装置の構成であり、かかる弱点ピン折損検出装置は、以下のように動作する。
【００４８】
通常、定電流回路１２には、定電流電源装置１３から直流定電流（例えば、１０ｍＡ）が供給される。供給された電流は、各弱点ピン１０に装着されたセンサ部１１のバイパス線路１１３を流れる。このとき、バイパス線路１１３の電気抵抗はほぼ０であるため、定電流回路１２における電圧降下はなく、その両端の電圧差はほぼ０である。また、定電流回路１２を流れる電流値も一定に維持される。そのため、通常の状態では、電圧スイッチ１５および電流スイッチ１７はいずれもＯＦＦとなっており、コントローラ１９のランプ２０が点灯されることはない。
【００４９】
通常の状態から、センサ部１１が装着された弱点ピン１０のいずれかが折損すると、これに伴って弱点ピン１０に内挿されている筒体１１５が破断する。これにより、パイパス線路１１３が断線し、定電流回路に流れる電流は断線したパイパス線路を迂回してＬＥＤ１１４を流れる。このとき、ＬＥＤ１１４の内部抵抗により、該ＬＥＤ１１４で電圧降下が起こり、定電流回路の両端に電位差を生じる。一方、定電流回路１２を流れる電流値は前記一定の値に維持される。そのため、かかる弱点ピン１０の折損時には、電圧スイッチ１５のみがＯＮされる。かかるスイッチ動作をコントローラ１９の異常検出回路１９ａが検出して、折損ランプ２０ａを点灯させると共に、弱点ピンの折損を報知する信号を配電盤や制御所へ出力する。
【００５０】
これにより、制御所の管理者等は、弱点ピンが折損したことを認識し、ガイドベーン６が設置された場所へ赴くと、弱点ピン１０が折損した箇所のＬＥＤ１１４が通電により点灯し、この光が透明な筒体１１５および充填剤１１６を通して視認可能となっている。そのため、複数の弱点ピン１０のいずれが折損しているかをユーザに確実に特定させることができ、その後の対応をスムーズに行わしめることができる。
【００５１】
また、通常の状態から、定電流回路１２に断線が生じると、定電流回路１２を流れる電流が遮断されて電流値が０と共に、定電流を流すために印加されていた電圧値に相当する電位差が生じる。そのため、断線時には、電圧スイッチ１５および電流スイッチ１７のいずれもＯＮされる。かかるスイッチ動作をコントローラ１９の異常検出回路１９ａが検出して、断線ランプ２０ｂを点灯させると共に、定電流回路１２の断線を報知する信号を配電盤や制御所へ出力する。
【００５２】
これにより、ユーザに定電流回路１２に断線が発生したことを認識させ、かかる断線に対するスムーズな対応を行わしめることができる。
【００５３】
一方で、定電流回路１２の両端に電圧差を生じることなく、電流値のみが０となることは生じ得ない。そのため、電流スイッチ１７のみがＯＮされた場合には、かかるスイッチ動作をコントローラ１９の異常検出回路１９ａが検出して、故障ランプ２０ｃを点灯させると共に、装置故障を報知する信号を配電盤や制御所へ出力する。
【００５４】
これにより、ユーザに弱点ピン折損検出装置に不具合が発生したことを認識させ、かかる不具合に対するスムーズな対応を行わしめることができる。
【００５５】
以上詳しく説明したように、本実施形態の弱点ピン折損検出装置によれば、センサ部１１が定電流回路１２に直列に接続されるため、各センサ部１１を結ぶ環状の定電流回路１２を組みことで、各センサ部１１へ向かう１つのケーブルを敷設すればよい。
【００５６】
また、定電流回路１２の両端の電圧値および該回路１２を流れる電流値から、複数の弱点ピンの折損および断線の有無をコントローラ１９で一括管理することができると共に、折損した弱点ピン１０に対応した部位をＬＥＤ１１４で照らし出すことができる。
【００５７】
このように、本実施形態の弱点ピン折損検出装置によれば、簡易な装置構成で、弱点ピンの折損を断線等と区別して検出し、ユーザに折損部位を確実に特定させることができる。
【００５８】
（第２実施形態）
次に、図４を参照して他の実施形態について説明する。なお、前記第１実施形態と同一の構成要素については第１実施形態と同一の参照符号を用いて説明を省略する。
【００５９】
本実施形態では、定電流電源装置１３´が交流定電流電源により構成され、交流定電流が定電流回路１２に供給される。
【００６０】
また、センサ部１１には、バイパス線路１１３に対して順方向を異にしてＬＥＤ１１４Ａ，１１４Ｂが２つ並列に設けられてなる。
【００６１】
以上の構成の弱点ピン折損検出センサによれば、前記第１実施形態と同様に、定電流電源装置１３´が交流電源である場合にも、弱点ピン１０が折損の折損および定電流回路１２の断線を配電盤１９で一括管理することができると共に、折損した部位のＬＥＤ１１４Ａ，Ｂを点灯させることができる。
【００６２】
すなわち、定電流回路１２の両端の電圧値およびこれに流れる電流値を電圧検出部１４および電流検出部１６で検出することにより、前記第１実施形態と同様にして、弱点ピン１０の折損および定電流回路１２の断線を、それぞれのスイッチ１５，１７の動作からコントローラ１９で一括管理することができる。
【００６３】
また、定電流回路１２に交流定電流が流れる場合に、弱点ピン１０が折損してバイパス線路１１３が断線されると、該交流電流はバイパス線路１１３を迂回してＬＥＤ１１４Ａおよび１１４Ｂを流れる。そのため、折損した部位をＬＥＤ１１４Ａ，１１４Ｂにより照らし出して、折損部位をユーザに特定させることができる。
【００６４】
尚、前記各実施形態において、センサ部１１は、弱点ピン１０に内挿されるように構成したが、これに限らず、センサ部１１が弱点ピン１０に外挿入され、または貼付されるような形態であってもよい。
【００６５】
また、前記第１実施形態において、ＬＥＤ１１４はバイパス線路１１３に対して１つ並列に設けられているが、第２実施形態と同様に、順方向を異にして２並列に設けてもよい。これにより、定電流回路１２の極性（電流の流れ）に拘らず、いずれかのＬＥＤ１１３Ａ，１１３Ｂに電流を流して点灯させることができ、センサ部１１の定電流回路１２への接続方向を意識することなく、センサ部１１を定電流回路１２に接続することができ、センサ部１１の設置・交換を容易ならしめることができる。
【図面の簡単な説明】
【００６６】
【図１】水力発電所の概略図。
【図２】直流定電流電源を用いた弱点ピン折損検出装置の回路構成図。
【図３】センサ部の構成を示す部分断面図。
【図４】交流定電流電源を用いた弱点ピン折損検出装置の回路構成図。
【符号の説明】
【００６７】
１…ガイドベーン機構、２…貯留水槽、３…水圧管、４…ケーシング、５…水車、６…ガイドベーン、７…リンク機構、８…ガイドリング、９…サーボモータ、１０…弱点ピン、１１…センサ部、１２…定電流回路、１３，１３´…定電流電源装置、１４…電圧検出部、１５…電圧スイッチ（折損検出部）、１６…電流検出部、１７…電流スイッチ（断線検出部）、１８…検出箱、１９…コントローラ、１９ａ…異常検出回路、２０ａ，２０ｂ，２０ｃ…ランプ、１１１…Ｔ形コネクタ、１１３…バイパス線路、１１４，１１４Ａ，１１４Ｂ…発光ダイオード（ＬＥＤ）、１１５…筒体、１１６…充填剤、Ｘ…バイパス管、Ｙ…排水管、Ｚ…制圧機。
【図１】
2010106685.tif 000003
【図２】
2010106685.tif 000004
【図３】
2010106685.tif 000005
【図４】
2010106685.tif 000006